(57)【要約】【課題】複数の筆記体を備える筆記具において、一の筆記体を軸線に沿って突出させることができる筆記具を提供する。【解決手段】一実施形態に係る筆記具は、複数の筆記体を備え、該複数の筆記体の一を先口から突出させることができる筆記具において、軸線から径方向にオフセットして配置され、軸線方向に往復移動可能な複数のスライダと、該複数の筆記体の一が実質的に常時軸線上に延在するように、該一の筆記体を該複数のスライダの一に連結するホルダとを備え、該複数の筆記体のうち他の筆記体は、軸線から径方向にオフセットして配置される。【選択図】  図２
2019026934.tif 000002
【特許請求の範囲】
【請求項１】
複数の筆記体の一を先口から突出させることができる筆記具において、
軸線から径方向にオフセットして配置され、軸線方向に往復移動可能な複数のスライダと、
前記複数の筆記体の一が実質的に常時軸線上に延在するように、該一の筆記体を前記複数のスライダの一に連結するホルダとを備え、
前記複数の筆記体のうち他の筆記体は、軸線から径方向にオフセットして配置される
ことを特徴とする、筆記具。
【請求項２】
前記ホルダは径方向に延在する径方向延在部を有する、請求項１に記載の筆記具。
【請求項３】
前記ホルダは、前記他の筆記体が前記一の筆記体の少なくとも先端を軸線上から押し出すことができる所定の弾性を有するように、該一の筆記体を前記スライダに連結する、請求項１又は請求項２に記載の筆記具。
【請求項４】
軸線を中心として周方向に回転して、前記複数のスライダの一を前方に突出するように押圧する回転カムをさらに備える、請求項１乃至請求項３のいずれか一項に記載の筆記具。
【請求項５】
前記複数のスライダの各々は少なくともその一部が径方向外側に向けて軸筒より突出し、手動によりスライド操作可能である、請求項１乃至請求項３のいずれか一項に記載の筆記具。
【発明の詳細な説明】
【技術分野】
【０００１】
本発明は、複数の筆記体の一を選択して使用することができる筆記具に関する。
【背景技術】
【０００２】
従来、軸筒内に複数の筆記軸が収納されて、該複数の筆記軸の中から選択的に１つの筆記軸の先端を軸筒の先端開口から突出可能とした複合筆記具において、該軸筒は、先軸筒と、該先軸筒に対して相対回転可能となった後軸筒とからなり、軸筒の外径が１０．５ｍｍ以下であり、軸筒内には、後軸筒に対して回転不能となったカム本体と、先軸筒に対して回転不能となり各筆記軸の後端部に連結されたスライダと、が設けられており、該カム本体には、前方に向けて突出するＶ字状のカム突起が形成されて、カム突起に沿って前方に面するカム面が形成されており、該カム面のカム突起の頂点部分には係止部が形成されており、該スライダには、後方に向けて突出するＶ字状のカムが形成されて、該カムに沿って後方に面する摺接面が形成されており、該摺接面は、該カム面に押圧されており、該後軸筒と先軸筒との間の相対回転により、該カムの摺接面がカム面を摺接して、１つのカムが該係止部に係止されることにより、選択的に該カムの設けられたスライダに連結された筆記軸の先端が軸筒の先端開口から突出する筆記具が知られている（例えば、特許文献１参照）。この筆記具によれば、軸筒の外径が小さい一方で、従来のように複数のノック棒が露出したりすることなく、戻しボタンなども不要となり、見栄え良く、操作性の良い筆記具を提供することができる。【０００３】
また従来、軸筒と、この軸筒内に前進および後退可能に設けられ、芯収容部を備えた筆記体を含む複数の筆記体と、筆記体の一部を構成し、一端を前進又は後退方向にスライド操作することにより、芯収容部を前進又は後退させる部材であって、非操作側端である他端に芯収容部が挿入されているスライド部材と、筆記体の先端が突出するように、軸径方向において、軸筒の軸心よりも芯収容部側に偏心して軸筒の先端に設けられた先穴と、を備える筆記具が知られている（例えば、特許文献２及び特許文献３参照）。これらの筆記具によれば、スライド部材内に芯収容部を挿入して芯の一部を収容可能とすることにより、全長の短い複合筆記具を提供できる。
【先行技術文献】
【特許文献】
【０００４】
【特許文献１】特許文献１：特開２００５−１６１８２９号公報  （例えば、段落０００８、段落００１４参照。）
【特許文献２】再公表特許ＷＯ２０１０／０２４３４６号公報  （例えば、段落０００８、段落００１２参照。）
【特許文献３】特開２０１１−０７３３８８号公報  （例えば、図１参照。）
【発明の概要】
【発明が解決しようとする課題】
【０００５】
しかしながら、従来、複数の筆記体の一を先口から突出させることができる筆記具において、該一の筆記体を軸線に沿って突出させることができる筆記具を提供することが求められていた。【０００６】
本発明は、複数の筆記体を備える筆記具において、一の筆記体を軸線に沿って突出させることができる筆記具を提供することを目的とする。
【課題を解決するための手段】
【０００７】
本発明に係る筆記具の一態様では、複数の筆記体を備え、該複数の筆記体の一を先口から突出させることができる筆記具において、軸線から径方向にオフセットして配置され、軸線方向に往復移動可能な複数のスライダと、該複数の筆記体の一が実質的に常時軸線上に延在するように、該一の筆記体を該複数のスライダの一に連結するホルダとを備え、該複数の筆記体のうち他の筆記体は、軸線から径方向にオフセットして配置される。
【発明の効果】
【０００８】
本発明に係る複数の態様では、複数の筆記体を備える筆記具において、一の筆記体を軸線に沿って突出させることができる筆記具を提供することができる。
【図面の簡単な説明】
【０００９】
【図１】本発明の一実施形態に係る筆記具の外観を示す平面図である。
【図２】本発明の一実施形態に係る筆記具の図１のＩＩ−ＩＩ断面図である。
【図３】本発明の一実施形態に係る筆記具のホルダを示す正面図である。
【図４】本発明の一実施形態に係る筆記具のホルダをその前方より見て示す図である。
【図５】本発明の一実施形態に係る筆記具のホルダを示す、図４のＶ−Ｖ断面図である。
【図６】本発明の一実施形態に係る筆記具の筆記体が先口から突出している状態を模式的に示す正面図であり、シャープペンシルレフィール、ホルダ、ガイド部材を主に示す一部断面図である。
【図７】本発明の一実施形態に係る筆記具を示す、図６のＶＩＩ−ＶＩＩ断面模式図である。
【図８】本発明の一実施形態に係る筆記具の筆記体が先口内に没入している状態を模式的に示す一部断面正面図であり、シャープペンシルレフィール、ホルダ、ガイド部材を主に示す図である。
【図９】本発明の一実施形態に係る筆記具の図２のＩＸ−ＩＸ断面模式図である。
【図１０】本発明の一実施形態に係る筆記具の変形例において、筆記体が先口から突出している状態を模式的に示す一部断面正面図であり、シャープペンシルレフィール、ホルダ、ガイド部材を主に示す図である。
【発明を実施するための形態】
【００１０】
以下、図に基づいて本発明の複数の実施形態を説明する。図１は本発明の一実施形態に係る筆記具１の外観を示す平面図である。筆記具１は、先軸２０及び後軸３０を含む軸筒２と、軸筒２の後軸３０に取り付けられるクリップ６とを備える。ここで、以下の説明においては、筆記具１の長手方向の軸線Ｌ方向に沿って先軸２０側を筆記具１の前方とし、その反対の後軸３０側を後方とする。
【００１１】
筆記具１は、複数の筆記体として、１本のシャープペンシルレフィール３及び２本のボールペンレフィール４（図２参照）を備え、先軸２０と後軸３０を相対的に回転させることにより、順次一の筆記体を先軸２０の先細部分である先口の先端開口２５から突出させて、所望の筆記体を選択して使用することができるように構成される。
【００１２】
図２に示すように、先軸２０は、略筒状に形成される。先軸２０の先口は先細に形成され、先口の先端には先端開口２５が形成される。先軸２０の後端開口内には、筒状の嵌合筒２１が着脱自在に挿入される。嵌合筒２１の先軸２０への挿入は、嵌合筒２１の中央部外周に環状に形成される当接フランジ２１ａが、先軸２０の後端と当接することで規制される。嵌合筒２１の後端開口内には、後述するガイド部材５１の前部に略筒状に形成された保持筒部５１ａが圧入されて固定される。ガイド部材５１の後部には、後述するスライダ５５，５６の摺動をガイドするガイド部５１ｂが形成される。ガイド部５１ｂは、略円柱状に形成され、その外周面には軸線方向に延在する３本の溝であるスライドガイド５１ｂ１，５１ｂ２，５１ｂ３が形成される。スライドガイド５１ｂ１には、シャープペンシルレフィール３を保持するホルダ５２が取り付けられるスライダ５５が摺動自在に組み付けられる。スライドガイド５１ｂ２，５１ｂ３には、ボールペンレフィール４を保持するホルダ５３が取り付けられるスライダ５６が摺動自在に組み付けられる。
【００１３】
後に詳述するように、シャープペンシルレフィール３を保持するホルダ５２の前端開口内には、シャープペンシルレフィール３の芯タンク３ａの後端が圧入される。一方、ボールペンレフィール４を保持するホルダ５３は、略棒状に形成され、その先端部には筒状の継手５８が固定される。この継手５８の先端開口内にボールペンレフィール４のインクタンクの後端が着脱自在に圧入される。スライダ５５，５６の径方向外側の外周面上には、後に詳述する回転カム５４のカム面５４ａと係合するカムフォロア５５ａ，５６ａが形成される。ガイド部材５１の保持筒部５１ａの後面と、スライダ５５，５６との間には、それぞれ圧縮コイルばねである押圧スプリング５７が配置される。スライダ５５，５６は、押圧スプリング５７によって常時後方に付勢されて、後に詳述する回転カム５４のカム面５４ａ上に押圧される。従って、回転カム５４の回転により、スライダ５５，５６のカムフォロア５５ａ，５６ａの各々は、回転カム５４のカム面５４ａに追従して軸線方向に移動する。スライダ５５，５６に取り付けられたシャープペンシルレフィール３やボールペンレフィール４は、押圧スプリング５７によって常時後方に付勢された状態でガイド部材５１のスライドガイド５１ｂ１，５１ｂ２，５１ｂ３により前後動可能にガイドされ、後に詳述するように、筆記体出没機構であるカム機構５０によって選択的に前後動される。
【００１４】
回転カム５４は、円筒部材の先端を斜めに切断した略円筒状に形成され、この傾斜した先端部分がカム面５４ａとして前方に配置される。従って、回転カム５４は、平面視略Ｖ字状に形成される。回転カム５４の先端には、図示しない切込みが形成され、スライダ５５，５６の略五角形状に形成されたカムフォロア５５ａ，５６ａの頂部と係合可能である。ガイド部材５１のガイド部５１ｂの後端には、ガイド部材回転支持軸５１ｃが形成される。ガイド部材回転支持軸５１ｃは、軸部５１ｃ１と、軸部５１ｃ１の後端に傘状に形成される抜け止め用の鍔部５１ｃ２とを有する。回転カム５４には、その内周面上に、環状に突出する環状リブ５４ｂが形成される。ガイド部材回転支持軸５１ｃは回転カム５４の環状リブ５４ｂに回転可能に組み付けられる。軸線Ｌを中心とした周方向において、回転カム５４はガイド部材５１に対して回転可能である。ガイド部材回転支持軸５１ｃの鍔部５１ｃ２の前面が回転カム５４の環状リブ５４ｂの後面と当接することにより、ガイド部材５１の回転カム５４に対する前方移動が規制される。
【００１５】
後軸３０の後端近傍には、後軸３０の内周面に突出するカシメ部３０ａが形成される。後軸３０のカシメ部３０ａと回転カム５４の外周面とが係合すると、回転カム５４が後軸３０に固定される。略筒状に形成された回転カム５４の後端部には、環状に形成されたクリップ６の基部６ａを貫通して、略筒状に形成された消し具ホルダ３１の前部が螺着される。消し具ホルダ３１の後部には消し具３２である字消しが着脱自在に挿入される。消し具ホルダ３１の後部外周には雄ネジ部が形成されて、後軸キャップ３３が螺着される。後軸キャップ３３と消し具ホルダ３１の後部との間には、Ｏリング３４が配置され、後軸キャップ３３と消し具ホルダ３１との螺着の緩みが防止される。
【００１６】
後軸３０の前端は、筒状の装飾リング３５の後端開口内に圧入される。装飾リング３５により、後軸３０の前端と先軸２０の後端との間に形成される隙間がカバーされる。なお、後軸３０の前端と先軸２０の後端との間に形成される隙間により、シャープペンシルレフィール３の筆記芯繰り出しのためのノックストロークが確保される。
【００１７】
カム機構５０は、ガイド部材５１と、シャープペンシルレフィール３用のホルダ５２と、ボールペンレフィール４用のホルダ５３と、回転カム５４と、スライダ５５，５６と、押圧スプリング５７と、継手５８と、を備える。後軸３０、回転カム５４、消し具ホルダ３１及び後軸キャップ３３は一体として、ガイド部材５１及び嵌合筒２１に対して周方向において回転可能である。カム機構５０により、選択された複数の筆記体の一が連結されたスライダ５５，５６を前方に突出するように押圧することができる。
【００１８】
シャープペンシルレフィール３は、任意の公知の構成とすることができる。シャープペンシルレフィール３は、その後端がホルダ５２に組み付けられる円筒状の芯タンク３ａを備える。芯タンク３ａの前端部には、筆記芯繰出し機構４０が取り付けられる。具体的には、芯タンク３ａの前端開口内には、チャック継手４１の後部が着脱可能に圧入される。チャック継手４１の前部には、チャック４２が圧入して固定される。チャック継手４１及びチャック４２の外周には、チャック継手４１に対して相対的に前後動可能に中筒部材４３が配置される。中筒部材４３の前方のチャック４２の大径部の外周には、チャックリング４４が配置される。チャックリング４４は、チャック４２の大径部により前方への移動が規制される。中筒部材４３の内周面に形成される環状の段部とチャック継手４１の前端との間のチャック４２の外周には、チャックスプリング４５が配置される。チャックスプリング４５により中筒部材４３及びチャックリング４４が前方に付勢される。中筒部材４３の所定量を超える後方への移動は、チャック継手４１の外周に形成された環状突起４１ａにより規制される。中筒部材４３の前部には、外周に環状の段部が形成された先金（チップ）４６が螺着される。先金４６の先端側内部には、筆記芯Ｗを把持する芯ブレーカ４７が組み付けられる。
【００１９】
このように構成されるシャープペンシルレフィール３は、スライダ５５のカムフォロア５５ａが、回転カム５４のカム面５４ａの先端に係合している状態で後軸３０の後端がノック操作されることにより、先金４６の外周段部が先軸２０の先端開口２５の内縁と当接し、チャック４２とチャックリング４４が嵌脱されることで筆記芯繰出し機構４０が作動し、筆記芯Ｗが前方へ送り出される。なお、ボールペンレフィール４は公知のボールペンチップ４ａとインクタンク４ｂとを有するが、ここでの詳細な説明は省略する。
【００２０】
次に、図３乃至図５を参照して、ホルダ５２について詳述する。ホルダ５２は、円柱状に形成されたホルダ本体５２１と略筒状に形成された軸線上延在部５２２とを備える。ホルダ本体５２１は、軸線Ｌから径方向に所定量だけオフセットした長手方向の中心軸線ＬＨを有する。ホルダ５２の軸線上延在部５２２は筆記具１の軸線Ｌ上に延在する。ホルダ５２はホルダ本体５２１の中心軸線ＬＨと軸線Ｌとの間に所定量だけ径方向に延在する径方向延在部を有する。軸線上延在部５２２の内周面は、後部の内周が前部の内周よりも小径化するように構成される。このように構成すると、径方向への所定の弾性を有するように、シャープペンシルレフィール３をホルダ本体５２１に組み付けることができる。さらに、ホルダ５２自体が径方向への所定の弾性を有すると、後に詳述するように複数の筆記体が軸線Ｌ上で干渉して作動したときに、他の筆記体がシャープペンシルレフィール３の先端を軸線Ｌ上から押し出すことができるため好ましい。また、シャープペンシルレフィール３を圧入し易いように、軸線上延在部５２２の内周が小径化する境界部には、複数の導入部（導入斜面）５２２ａが形成される。シャープペンシルレフィール３の芯タンク３ａの後端は軸線上延在部５２２の内周に着脱可能に圧入される。軸線上延在部５２２は、芯タンク３ａの外周を覆うように芯タンク３ａに組み付けられるので、芯タンク３ａ内の容量を十分に確保することができる。ホルダ本体５２１の後端には、円柱状のスライダ取付軸５５３が形成される。ホルダ５２のスライダ取付軸５５３の外周面はスライダ５５の先端開口内に着脱可能に圧入される。
【００２１】
ここで、図２に示すように、ホルダ５２の軸線上延在部５２２に保持されたシャープペンシルレフィール３は、ホルダ本体５２１の軸線ＬＨから径方向内側に、軸線ＬＨから軸線Ｌまでの距離分だけオフセットして、筆記具１の軸線Ｌ上に延在する。図７に示すように、シャープペンシルレフィール３が組み付けられたホルダ５２のホルダ本体５２１と、２本のボールペンレフィール４が組み付けられたホルダ５３とは、軸線Ｌから径方向外側にオフセットして配置される。この状態において、ホルダ５２のホルダ本体５２１はシャープペンシルレフィール３をスライダ５５に連結し、ホルダ５３はボールペンレフィール４をスライダ５６に連結する。スライダ５５，５６は、ガイド部５１ｂにおいて中心軸線から径方向にオフセットして周方向に等間隔で配置されたスライドガイド５１ｂ１，５１ｂ２，５１ｂ３によってガイドされる。図９に示すように、シャープペンシルレフィール３（筆記芯繰出し機構４０、芯タンク３ａ）は、後に詳述するようにボールペンレフィール４によって押圧されてその先端のみが軸線Ｌ上から押し出されることがあっても、軸線ＬＨから径方向内側にオフセットして、実質的に常時軸線Ｌ上に延在するように配置される。
【００２２】
このようにして、シャープペンシルレフィール３は、実質的に常時軸線Ｌ上に延在するように配置され、軸線Ｌに沿って突出される。このため、従来のように、突出時に軸線Ｌに対して傾斜して配置される場合に比べて、筆記芯Ｗが筆記芯繰出し機構４０の先端等で折れてしまうという不具合を低減することができる。本実施形態においては黒鉛を着色料として含む筆記芯Ｗを用いるものとするが、比較的強度が低い他の色付の筆記芯を使用する他の実施形態では筆記芯が軸線Ｌに沿って突出することはさらに好ましい。
【００２３】
前述のように、ホルダ５２は径方向への所定の弾性を有するようにシャープペンシルレフィール３（筆記芯繰出し機構４０）を把持するように構成される。このように、カム機構５０によりシャープペンシルレフィール３ではない他の何れかのボールペンレフィール４が選択されて前方に突出する場合には、ボールペンレフィール４が、後退するシャープペンシルレフィール３の少なくとも先端を軸線Ｌ上から押し出すことができるように構成することが望ましい。このように構成すると、一の筆記体を実質的に常時軸線上に延在するように配置して、さらに複数の筆記体の突出ストロークを比較的短く構成した結果、複数の筆記体が相互に干渉することがある場合にも、選択した一の筆記体をスムーズに先口から突出させることができる。
【００２４】
さらに、図６及び図８に示すように、ガイド部材５１には、軸線Ｌ上において前後方向に貫通する穴である、筆記芯Ｗを後方から供給可能な筆記芯供給路５１ｄが形成されることが好ましい。筆記芯供給路５１ｄ、ホルダ５２の軸線上延在部５２２及びシャープペンシルレフィール３は、軸線Ｌの同軸上に配置される。さらに、シャープペンシルレフィール３は、筆記芯Ｗを後方から供給することができる後端開口を有する。このように構成すると、シャープペンシルレフィール３の後端開口を常時軸線Ｌ上に配置しておくことができる。この場合には、例えば、ボールペンレフィール４を先口から突出させているときにも、筆記芯繰出し機構４０と筆記芯供給路５１ｄとを常時連通させておくことができる。このため、筆記具１の後方からシャープペンシルレフィール３に筆記芯Ｗを常時補給することができる。本実施形態では、後軸キャップ３３及び消し具ホルダ３１を取り外すと、筆記体の突出状態に関わらず、筆記芯供給路５１ｄを介して芯タンク３ａに追加の筆記芯Ｗを常時補給することができる。筆記具１の軸線Ｌ上にシャープペンシルレフィール３の後端開口を配置すると、筆記具１の後方から筆記芯Ｗを補給し易い。なお、他の実施形態では、軸線Ｌから径方向にオフセットして配置されたシャープペンシルレフィールの後端開口を、筆記具の後方から筆記芯を供給するときに、一時的に軸線Ｌ上に配置するように構成するものとしてもよい。
【００２５】
なお、図８に示すように、シャープペンシルレフィール３が最も没入している状態においては、ホルダ５２の軸線上延在部５２２の後端開口がガイド部材５１の保持筒部５１ａにおける底部の前面に近接又は当接するため、最も好適に追加の筆記芯Ｗを補給することができる。
【００２６】
なお、他の実施形態では、図１０に示す変形例のように、ホルダ５２の軸線上延在部５２２−１は、シャープペンシルレフィール３の芯タンク３ａの内部に挿入するように構成してもよい。この場合には、シャープペンシルレフィール３をさらに異なる任意の径方向への弾性を有するように軸線Ｌ上に保持することができる。
【００２７】
以上、本発明は本実施形態によって制限されることは無く、種々の形態で実施することができる。例えば、本実施形態では、筆記体出没機構であるカム機構５０により、先軸２０と後軸３０を相対的に回転させて一の筆記体を選択する筆記具１としたが、これに限られず、各筆記体がホルダを介して連結されたスライダを複数備え、スライダの各々は少なくともその一部が径方向外側に向けて軸筒より突出し、一のスライダを前方に手動で突出させスライド操作をすることにより一の筆記体を選択して先口から突出させることができるスライド式の筆記体出没機構を備える筆記具とすることもできる。
【符号の説明】
【００２８】
１          筆記具                          ２          軸筒
３          シャープペンシルレフィール      ３ａ        芯タンク
４          ボールペンレフィール            ４ａ        ボールペンチップ
４ｂ        インクタンク                    ６          クリップ
６ａ        基部                            ２０        先軸
２１        嵌合筒                          ２１ａ      当接フランジ
２５        先端開口                        ３０        後軸
３０ａ      カシメ部                        ３１        消し具ホルダ
３２        消し具                          ３３        後軸キャップ
３４        Ｏリング                        ３５        装飾リング
４０        筆記芯繰出し機構                ４１        チャック継手
４１ａ      環状突起                        ４２        チャック
４３        中筒部材                        ４４        チャックリング
４５        チャックスプリング              ４６        先金
４７        芯ブレーカ                      ５０        カム機構
５１        ガイド部材                      ５１ａ      保持筒部
５１ｂ      ガイド部                        ５１ｂ１    スライドガイド
５１ｂ２    スライドガイド                  ５１ｂ３    スライドガイド
５１ｃ      ガイド部材回転支持軸            ５１ｃ１    軸部
５１ｃ２    鍔部                            ５１ｄ      筆記芯供給路
５２        ホルダ                          ５３        ホルダ
５４        回転カム                        ５４ａ      カム面
５４ｂ      環状リブ                        ５５        スライダ
５５ａ      カムフォロア                    ５６        スライダ
５６ａ      カムフォロア                    ５７        押圧スプリング
５８        継手                            ５２１      ホルダ本体
５２２      軸線上延在部                    ５２２−１  軸線上延在部
５２２ａ    導入部                          ５５３      スライダ取付軸
Ｌ，ＬＨ    軸線                            Ｗ          筆記芯
【図１】
2019026934.tif 000003
【図２】
2019026934.tif 000004
【図３】
2019026934.tif 000005
【図４】
2019026934.tif 000006
【図５】
2019026934.tif 000007
【図６】
2019026934.tif 000008
【図７】
2019026934.tif 000009
【図８】
2019026934.tif 000010
【図９】
2019026934.tif 000011
【図１０】
2019026934.tif 000012
【国際調査報告】
2019026934.tif 000013
2019026934.tif 000014
2019026934.tif 000015
2019026934.tif 000016